【事件の表示】
　特許第３１０６４３９号「炊飯器」の請求項１に係る特許に対する特許異議の申立てについて、次のとおり決定する。
【結　論】
　訂正を認める。
　特許第３１０６４３９号の請求項１に係る特許を維持する。
【理　由】
１．手続の経緯
　特許第３１０６４３９号（以下「本件特許という。」）及び本件特許異議事件に係る手続きの経緯の概要は、以下のとおりである。
（１）本件特許の出願日：平成３年１１月２５日
（２）手続補正書：平成１０年８月３１日（受付）
（３）審査請求：平成１０年８月３１日（受付）
（４）手続補正書：平成１２年４月３日（受付）
（５）特許査定：平成１２年７月２７日付け
（６）特許権の設定登録：平成１２年９月８日
（７）特許掲載公報の発行：平成１２年１１月６日
（８）特許異議の申立（異議申立人酒井和義）：平成１３年４月２５日
（９）取消理由通知書：平成１４年５月１０日（発送日：平成１４年
　　　５月２４日）
（１０）訂正請求書：平成１４年７月１７日（差出）
（１１）特許異議意見書（特許権者）：平成１４年７月１７日（差出）
（１２）口頭審理期日呼出状：平成１４年８月２０日付け（同年
　　　　８月３０日発送）
（１３）口頭審理陳述要領書（異議申立人）：平成１４年９月２６日付け
（１４）口頭による審尋：平成１４年９月２６日
（１５）口頭審理：平成１４年９月２６日
（１６）口頭審理調書：平成１４年９月２６日（特許権者：「平成
　　　　１４年７月１７日付けの訂正請求を取り下げる。」）
（１７）取消理由通知書：平成１４年９月２６日（発送日：平成
　　　　１４年１０月７日）
（１８）訂正請求書：平成１４年１０月７日（差出）
　
　
２．訂正の適否についての判断
（１）訂正の内容
　特許権者が上記平成１４年１０月７日付け訂正請求書で求めている訂正の内容は、同訂正請求書に添付された全文訂正明細書に記載された、以下のａ〜ｆである。
ａ．特許請求の範囲に記載されていた
「【請求項１】　本体の後方上部に軸支した蓋体を、前記本体から開放方向に付勢し、この付勢力によって前記蓋体が開くようにした炊飯器において、前記本体の内部に送風装置を備え、この送風装置は、前記本体に収容した飯を収容する容器の中心よりも前方の該本体の内底部に設置されるとともに、炊飯や保温の加熱と前記送風装置の動作を制御する制御基板を、前記容器の中心より前方の前記本体の内部に設けたことを特徴とする炊飯器。」
を、
「【請求項１】　本体(１)の後方上部に軸支した蓋体(５)を、前記本体から開放方向に付勢し、この付勢力によって前記蓋体が開くようにした炊飯器において、前記本体の内部に送風装置を備え、この送風装置は
送風ファン(18)とモーター(19)とを備えて
　
前記本体の前側上部の裏側に設けられた表示基板(41)と、前記表示基板の下方に設けられ、シーズヒーター(７)を通断電制御し、
を制御するリレー(48)と、前記モーターを通断電し、
別のりレー(55)を備えた、電源基板(42)とからなる制御基板を設け、　前記電源基板と表示基板とからなる
は、
られる
に訂正する。
　
ｂ．発明の詳細な説明の段落【０００９】における、
「　　　【０００９】
　　【課題を解決するための手段】
　本発明の炊飯器は、本体の後方上部に軸支した蓋体を、前記本体から開放方向に付勢し、この付勢力によって前記蓋体が開くようにした炊飯器において、前記本体の内部に送風装置を備え、この送風装置は、前記本体に収容した飯を収容する容器の中心よりも前方の該本体の内底部に設置されるとともに、炊飯や保温の加熱と前記送風装置の動作を制御する制御基板を、前記容器の中心より前方の前記本体の内部に設けたものである。」
を、
「　　　【０００９】
　　【課題を解決するための手段】
　本発明の炊飯器は、本体の後方上部に軸支した蓋体を、前記本体から開放方向に付勢し、この付勢力によって前記蓋体が開くようにした炊飯器において、前記本体の内部に送風装置を備え、この送風装置は
送風ファンとモーターとを備えて
前記本体の前側上部の裏側に設けられた表示基板と、前記表示基板の下方に設けられ、シーズヒーターを通断電制御し、
を制御するリレーと、前記モーターを通断電し、
別のりレーを備えた、電源基板とからなる制御基板を設け、前記電源基板と表示基板とからなる
は、
られる
に訂正する。
　
ｃ．発明の詳細な説明の段落【００１０】における、
「　　　【００１０】
　　【作用】
　上記構成によれば、本体の後方上部を回転中心とした送風装置の重量に伴うモーメントの腕の長さを大きくしたことによって、蓋体の開放時に本体の持ち上がりを抑止できる。また、比較的重い制御基板を、本体の前側に設けたことによって、一層前記モーメントを大きくでき、蓋体の開放時に本体の持ち上がりを確実に抑止できる。また、同一の本体の内部において、制御基板と送風装置とを近づけることができるため、配線処理等を簡単に行うことができる。」
を、
「　　　【００１０】
　　【作用】
　上記構成によれば、本体の後方上部を回転中心とした送風装置の重量に伴うモーメントの腕の長さを大きくしたことによって、蓋体の開放時に本体の持ち上がりを抑止できる。また、
本体の前側上部の裏側に設けられた表示基板と、表示基板の下方に設けられ、シーズヒーターを通断電制御し、炊飯や保温の加熱を制御するリレーと、モーターを通断電し、送風装置の動作を制御する別のりレーを備えた、電源基板とからなる
に訂正する。
　
ｄ．発明の詳細な説明の段落【００１３】における、
「　　　【００１３】
　尚、図１において、40は器本体１の前側上部に設けられたＬＥＤ等の表示部、41は前記表示部40の裏側に設けられた表示基板、42は前記表示基板41の下方に設けられるトランス、リレー等を備えた電源基板である。また、43は前記器本体１の下部に設けられたコードリールである。なお、制御基板に相当するこれらの表示基板41と電源基板42は、いずれも容器４の中心より前方の器本体１の内部に設けられており、炊飯や保温の加熱と、モーター19の動作を制御するようになっている。」
を、
「　　　【００１３】
　尚、図１において、40は器本体１の前側上部に設けられたＬＥＤ等の表示部、41は前記表示部40の裏側に設けられた表示基板、42は前記表示基板41の下方に設けられるトランス、リレー等を備えた電源基板である。また、43は前記器本体１の下部に設けられたコードリールである。なお、器本体１の
前側上部の裏側に設けられた表示基板41と、表示基板41の下方に設けられ、シーズヒーター７を通断電制御し、炊飯や保温の加熱を制御するリレー48と、モーター19を通断電し、送風装置の動作を制御する別のりレー55を備えた、電源基板42とからなる
に訂正する。
　
ｅ．発明の詳細な説明の段落【００１７】における、
「　　　【００１７】
　さらに本実施例では、制御基板を構成する電源基板42を、容器４の中心より前方の器本体１の内部に設けたことによって、一層前記モーメントを大きくでき、蓋体５の開放時に器本体１の持ち上がりを確実に抑止できる。また、同一の器本体１の内部において、該電源基板42と前記モーター19を近づけることができるため、配線処理等を簡単に行うことができる。」
を、
「　　　【００１７】
　さらに本実施例では、
表示基板41と電源基板42とからなる
を、
に訂正する。
　
ｆ．発明の詳細な説明の段落【００２０】における、
「　　　【００２０】
　　【発明の効果】
　本発明の炊飯器は、本体の後方上部に軸支した蓋体を、前記本体から開放方向に付勢し、この付勢力によって前記蓋体が開くようにした炊飯器において、前記本体の内部に送風装置を備え、この送風装置は、前記本体に収容した飯を収容する容器の中心よりも前方の該本体の内底部に設置されるとともに、炊飯や保温の加熱と前記送風装置の動作を制御する制御基板を、前記容器の中心より前方の前記本体の内部に設けたものであり、蓋体の開放時に本体の持ち上がりを確実に抑止できるとともに、配線処理等を簡単に行うことができる。
」
を、
「　　　【００２０】
　　【発明の効果】
　本発明の炊飯器は、本体の後方上部に軸支した蓋体を、前記本体から開放方向に付勢し、この付勢力によって前記蓋体が開くようにした炊飯器において、前記本体の内部に送風装置を備え、この送風装置は
送風ファンとモーターとを備えて
前記本体の前側上部の裏側に設けられた表示基板と、前記表示基板の下方に設けられ、シーズヒーターを通断電制御し、
を制御するリレーと、前記モーターを通断電し、
別のりレーを備えた、電源基板とからなる制御基板を設け、前記電源基板と表示基板とからなる
は、
られる
に訂正する。
　
　
（２）訂正の目的の適否、新規事項の有無及び拡張・変更の存否
イ．上記ａの訂正について
　上記ａの訂正は、元の請求項１に記載されていた「送風装置」を「送風装置は送風ファン(18)とモーター(19)とを備えて、」と限定し、また、元の請求項１に記載されていた「炊飯や保温の加熱と前記送風装置の動作を制御する制御基板」を「前記本体の前側上部の裏側に設けられた表示基板(41)と、前記表示基板の下方に設けられ、シーズヒーター(７)を通断電制御し、炊飯や保温の加熱を制御するリレー(48)と、前記モーターを通断電し、前記送風装置の動作を制御する別のりレー(55)を備えた、電源基板(42)とからなる制御基板を設け、前記電源基板と表示基板とからなる制御基板」と訂正し、元の請求項を限定するとともに、「制御基板」という用語の意味を明瞭にするものである。
　この訂正は、特許請求の範囲の減縮、および明りょうでない記載の釈明に該当し、願書に添付した明細書及び図面に記載された事項の範囲内においてなされたものであり、また、実質上特許請求の範囲を拡張又は変更するものではない。
　　
ロ．ｂないしｆの訂正について
　上記ｂないしｆの訂正は、上記ａにおける特許請求の範囲の訂正と整合をとるため、発明の詳細な説明の記載を訂正するものであり、明りょうでない記載の釈明に該当する。
　そして、このｂないしｆの訂正は、願書に添付した明細書及び図面に記載された事項の範囲内において訂正したものであり、実質上特許請求の範囲を拡張又は変更するものではない。
　
（３）まとめ
　以上のとおりであるから、上記訂正は、特許法第１２０条の４第３項で準用する特許法第１２６条第１項ただし書き、第２項及び第３項の規定に適合するので、当該訂正を認める。
　
　
３．本件発明
　したがって、本件の請求項１に係る発明は上記訂正明細書の特許請求の範囲の請求項１に記載された下記のとおりのものである。
「【請求項１】　本体(１)の後方上部に軸支した蓋体(５)を、前記本体から開放方向に付勢し、この付勢力によって前記蓋体が開くようにした炊飯器において、前記本体の内部に送風装置を備え、この送風装置は送風ファン(18)とモーター(19)とを備えて、前記本体に収容した飯を収容する容器(４)の中心よりも前方の該本体の内底部に設置されるとともに、
　前記本体の前側上部の裏側に設けられた表示基板(41)と、前記表示基板の下方に設けられ、シーズヒーター(７)を通断電制御し、炊飯や保温の加熱を制御するリレー(48)と、前記モーターを通断電し、前記送風装置の動作を制御する別のりレー(55)を備えた、電源基板(42)とからなる制御基板を設け、
　前記電源基板と表示基板とからなる制御基板は、前記容器の中心より前方の前記本体の内部に設けられることを特徴とする炊飯器。」
　
　
４．特許異議申立て理由の概要
（１）特許法第２９条第２項に関する申立て理由
　特許異議申立人は、
甲第１号証：特開昭５９−２３２５１９号公報
甲第２号証：特開平３−１５４２１号公報
甲第３号証：特開平２−７３８３号公報
甲第４号証：実願平１−５２１８４号（実開平２−１４２２２３号）
　　　　　　のマイクロフイルム
を引用して、本件の請求項１に係る発明はこれらの甲第１〜４号証に記載された発明に基づいて当業者が容易に発明をすることができたものであるから、特許法第２９条第２項の規定に該当し、特許を受けることができないものである。したがって、この発明の特許は取り消されるべきものである旨を述べている。
　
（２）特許法第３６条に関する申立て理由
　特許異議申立人は、
イ．発明の詳細な説明における記載は不明瞭である。
ロ．請求項１の記載は不明確である。
したがって、本件明細書の記載は不備であり、本件の請求項１に係る発明は、特許法第３６条に規定する要件に反して特許されたもので、その特許は取り消されるべきものである旨を述べている。
　
　
５．当審が通知した取消理由通知の概要
（１）特許法第２９条第２項に関する取消理由
　当審が、平成１４年５月１０日付けで通知した取消理由通知では、
　刊行物１：特開平５−１３７６４４号公報（本件出願の公開公報）　
　刊行物２：実願平１−１６６６２号（実開平２−１０９５２２号）の
　　　　　　マイクロフィルム
を引用し、
イ．本件願書に最初に添付した明細書及び図面（以下「当初明細書」という。）には、「制御基板」は記載されていない。また、このように制御基板を設けることは、当初明細書の記載から自明であるとも認められない。
ロ．したがって、平成１０年８月３１日付けの手続補正は、当初明細書の要旨を変更するものである。
ハ．本件特許の出願日は、旧特許法第４０条の規定により、この手続補正書を提出した平成１０年８月３１日とみなされる。
という認定に基づき、本件の請求項１に係る発明は、これらの刊行物１及び２に記載された発明に基づいて当業者が容易に発明をすることができたものであるから、特許法第２９条第２項の規定により特許をうけることができないものであり、本件の請求項１に係る発明の特許は取り消されるべきものである旨が述べられている。
　
（２）特許法第３６条第５項に関する取消理由
　当審が、平成１４年９月２６日付けで通知した取消理由通知では、本件の請求項１に記載された「制御基板」は不明確であり特許法第３６条第５項に規定する要件を満たしておらず、本件の請求項１に係る発明の特許は取り消されるべきものである旨が述べられている。
　
　
６．本件特許の出願日
　平成１４年５月１０日付け取消理由通知では、上記５．（１）イ．〜ハ．のように「制御基板」は当初明細書に記載されていないと認定している。しかし、その後、請求項１の記載は、平成１４年１０月７日付け訂正請求書により、上記３．に記載されたように訂正されている。
　この訂正後の請求項１には、「前記電源基板と表示基板とからなる制御基板」と記載されており、ここで述べられている「制御基板」という用語は一般的な制御基板としてではなく、「電源基板」と「表示基板」とをまとめる概念として用いられている。
　しかも、表示基板が制御基板一種であることは周知の事項にすぎず、また、請求項１に記載された「電源基板」が制御的な機能を持つことは同請求項の
「シーズヒーター(７)を通断電制御し、炊飯や保温の加熱を制御するリレー(48)と、前記モーターを通断電し、前記送風装置の動作を制御する別のりレー(55)を備えた、電源基板(42)」
という記載から明らかである。
　このように、「電源基板」と「表示基板」を、「制御基板」という用語によりまとめることに、論理的な不自然さはなく、しかも、これらの「電源基板」及び「表示基板」は共に当初明細書に記載されている以上、これらの基板をまとめる概念としての「制御基板」も実質的に当初明細書に記載されていると言わざるを得ない。
　したがって、上記取消理由通知で述べたように、「本件特許の出願日は、旧特許法第４０条の規定により、手続補正書を提出した平成１０年８月３１日とみなされる。」ということはできず、本件特許の出願日は願書が特許庁に提出された平成３年１１月２５日である。
　
　
７．各引用刊行物記載の発明
（１）特許異議申立人の引用した甲第１号証に記載された発明
　甲第１号証には、次のａ．〜ｂ．の記載がある。
ａ．甲第１号証第１ページ左下欄１４，１５行には、
「本発明は一般家庭などで日常的に使用する炊飯器の構成に関するものである。」と記載されている。
　
ｂ．甲第１号証第２ページ右上欄９〜１４行には、
「８は蓋体で内蓋９を有してヒンジ部１０で軸１１により本体４の一側に枢支している。また、軸１１に関連して常に蓋体８を開成する方向に付勢したバネ１２が設けられ、軸部の近傍には蓋体８の開成時のショック緩和するための円弧状のダンパー１３とダンパーパネ１４が設けられている。」と記載されている。
　
　
（２）特許異議申立人の引用した甲第２号証に記載された発明
　甲第２号証には、次のａ．〜ｃ．の記載がある。
ａ．甲第２号証第２ページ左上欄１７〜２０行には、
「以下、本発明の一実施例を第１図，第２図により説明する。
　図において、１は蓋であり、２は蓋１に取付けた内蓋である。」と記載されている。
　
ｂ．甲第２号証第２ページ右上欄１６行〜同ページ左下欄１行には、
「９はファンであり、内容器６の外側側面に取付けられ、このファン９を取付けた内容器６には送風孔６ａと排出孔６ｂが設けてある。１０はモ一ターでありファン９を回転させる。１１は自冷ファンであり、モーター１０の発熱を押さえ耐久性をもたせるものである。また１２はコードリールである。」と記載されている。
　
ｃ．甲第２号証第１，２図には、
「ファン９，モ一ター１０が、蓋１のヒンジ部と反対側に設けられている」
ことが記載されている。
　
　
（３）特許異議申立人の引用した甲第３号証に記載された発明
　甲第３号証には、次のａ．〜ｃ．の記載がある。
ａ．甲第３号証第２ページ右下欄９〜１９行には、
「３は誘導コイル１を励振するインバータ回路で、このインバータ回路３の上方にはインバータ回路３の部品である半導体スイッチ素子４が設けられている。５はスイッチングロス等で発熱する半導体スイッチ素子４をネジ５ａで取付けたヒートシンクで、このヒートシンク５と前記カバー２は下枠６にネジ締め等により保持されている。７は金具により下枠６に取付けたモータで、このモータ７に軸支されて回転駆動されるプロペラ型の送風ファン８の吸気側は吸気カバー９で囲まれている。」と記載されている。
　
ｂ．甲第３号証第３ページ左下欄１７〜１９行には、
「さらにまた羽根の先端１５とヒートシンク５を取付けたインバータ回路３の基板３ａの面との間に隙間を設ける構成とすることにより、」と記載されている。
　
ｃ．甲第３号証第１〜３図には、
「インバータ回路３の基板３ａ、及び、送風ファン８が炊飯器の前方内部に設けられている」
ことが記載されている。
　
　
（４）特許異議申立人の引用した甲第４号証に記載された発明
　甲第４号証には、次のａ．〜ｃ．の記載がある。
ａ．甲第４号証第７ページ１７〜１９行には、
「熱板（５３）には、内鍋（６）を直接加熱する炊飯ヒータ（５４）が、・・・埋設されている。」と記載されている。
　
ｂ．甲第４号証第８ページ３〜５行には、
「肩部（４）の直下であって、外ケース（１）と内容器５との間に、制御回路（１１）（第３図参照）を搭載した基板（２２）を収納している。」と記載されている。
　
ｃ．甲第４号証第１〜３図には、
「基板（２２）が外ケース（１）の前方内部に設けられている」
ことが記載されている。
　
　
（５）当審が通知した取消理由通知で引用した刊行物２に記載された発明
　刊行物２には、次のａ．〜ｃ．の記載がある。
ａ．刊行物２明細書第１ページ１９，２０行には、
「本考案は、マイコンを搭載した電源基板を有する電気がまに関するものである。」
と記載されている。
　
ｂ．刊行物２明細書第２ページ２〜７行には、
「従来のこの種の電気がまは・・・（中略）・・・サーモスタットで内がまの温度を検知し、電源基板上のマイコンの制御機能によりリレーのON、OFFを行い、ヒーターの通電制御を行なっていた。」
と記載されている。
　
ｃ．刊行物２明細書第３ページ１２行〜第４ページ４行には、
「以下本考案の一実施例を第１図〜第３図を用いて説明する。・・・（中略）・・・５はヒーター、６はサーモスタットでそれぞれ内なべ２の外底面に当接している。サーモスタット６は内なべ２の外底中央に弾性体７で押圧され、外容器３の下部に設げた電源基板８上のマイコン８ｃと信号線９で電気的に接続されている。８ａはリレー、８ｂは200℃〜300℃で溶解する導電性の可溶体で、それぞれ電源基板８上のヒーターの通電回路に直列に接続されている。」
と記載されている。
　
　
８．特許法第２９条第２項に関する異議申立理由の検討
（１）対比
　本件の請求項１に係る発明と、甲第１号証に記載された発明とを対比すると、
　本件の請求項１に係る発明の
・本体(１)、
・蓋体(５)、
は、甲第１号証に記載された発明における
・本体４
・蓋体８、
にそれぞれ相当すると認められる。
　
　
（２）一致点
　したがって、両発明は、
「本体(１)の後方上部に軸支した蓋体(５)を、前記本体から開放方向に付勢し、この付勢力によって前記蓋体が開くようにした炊飯器。」
で一致し、下記のＡ，Ｂの２点で相違する。
　
（３）相違点
相違点Ａ：本件の請求項１に係る発明では、
「前記本体の内部に送風装置を備え、この送風装置は送風ファン(18)とモーター(19)とを備えて、前記本体に収容した飯を収容する容器(４)の中心よりも前方の該本体の内底部に設置される」
とされているが、これに対し、甲第１号証には、このような送風装置が記載されていない点。
　
相違点Ｂ：本件の請求項１に係る発明では、
「前記本体の前側上部の裏側に設けられた表示基板(41)と、前記表示基板の下方に設けられ、シーズヒーター(７)を通断電制御し、炊飯や保温の加熱を制御するリレー(48)と、前記モーターを通断電し、前記送風装置の動作を制御する別のりレー(55)を備えた、電源基板(42)とからなる制御基板を設け、
　前記電源基板と表示基板とからなる制御基板は、前記容器の中心より前方の前記本体の内部に設けられる」
とされているが、これに対し、甲第１号証には、このような制御基板が記載されていない点。
　
　
（４）相違点についての検討
イ．相違点Ａについての検討
　まず、上記相違点Ａについて検討すると、相違点Ａにおける本件請求項１に係る発明の構成である「前記本体の内部に送風装置を備え、この送風装置は送風ファン(18)とモーター(19)とを備えて、前記本体に収容した飯を収容する容器(４)の中心よりも前方の該本体の内底部に設置される」は、甲第２号証の上記引用箇所７．（２）ａ．〜ｃ．に開示されている。
　そして、これらの開示を、甲第１号証に記載された発明に組み合わせることは容易であると認められる。
　
ロ．相違点Ｂについての検討
　次に、上記相違点Ｂについて検討すると、相違点Ｂにおける本件請求項１に係る発明の構成のうち、
「前記本体の前側上部の裏側に設けられた表示基板(41)からなる制御基板は、前記容器の中心より前方の前記本体の内部に設けられる」
は、周知の技術にすぎない。
　例えば、
　特開昭６１−５６６１２号公報
　　「８は本体１の外側面に設けた操作パネル、９は操作パネル８に内装した制御基板である。」（第２ページ左上欄２０行〜右上欄２行）、「両リレー１８，２０は制御基板９に設けられ、この基板９にはその他、・・・ＬＥＤ１０〜１５，・・・を設けている。」（第２ページ左下欄７〜１０行）、及び、「表示部（ＬＥＤ１１〜１５）」（第２ページ右下欄８行）を参照。
　
　しかし、相違点Ｂにおける本件請求項１に係る発明の構成のうち、
「前記表示基板の下方に設けられ、シーズヒーター(７)を通断電制御し、炊飯や保温の加熱を制御するリレー(48)と、前記モーターを通断電し、前記送風装置の動作を制御する別のりレー(55)を備えた、電源基板(42)からなる制御基板を設け、
　前記電源基板からなる制御基板は、前記容器の中心より前方の前記本体の内部に設けられる」
は、上記の甲第２〜４号証及び刊行物２のいずれにも記載されていない。そして、この構成により、本件明細書段落【００２０】に記載されている「蓋体の開放時に本体の持ち上がりを確実に防止できるとともに、配線処理等を簡単に行うことができる。」という効果を達成できる。
　したがって、相違点Ｂは容易に推測できた程度のものということはできない。
　
（５）まとめ
　以上のように、上記相違点Ｂは上記甲第１〜４号証及び刊行物２に記載された各発明より容易に想到し得たものではないので、本件請求項１に係る発明は上記各甲第１〜４号証及び刊行物２に記載された発明に基づいて当業者が容易に発明をすることができたものではない。
　
　
９．特許法第３６条に関する異議申立理由の検討
（１）特許異議申立人は、特許異議申立書第４ページ１２〜１８行において、
「（本件明細書）段落【００１２】には、「蓋体５が上方に廻動した際の廻動の勢いが途中で弱められる。」旨の記載がある。これによれば、請求項１に係る発明の（器本体が持ち上がって傾斜し、といった）課題は生じない筈である。したがって、本件明細書の記載は不明瞭である。」
という旨をのべている。
　しかし、蓋体５の廻動の勢いが途中で弱められるとは言っても、廻動の勢いが完全になくなると段落【００１２】に記載されているわけではないので、同段落の記載は、請求項１に係る発明の課題と矛盾しないと認められる。したがって、特許異議申立人が述べているような明細書の不備はない。
　
（２）特許異議申立人は、特許異議申立書第５ページ１〜１６行において、
「本件請求項１の記載では、送風装置および制御基板は共に、本体に収容した飯を収容する容器の中心よりも前方に設けている。しかし、この記載では、モー夕および送風装置の全体が容器の中心軸線よりも前方に位置することをいうのか、それとも、モータおよび送風装置の中心軸線が容器の中心軸線よりも前方に位置することをいうのか、明瞭でない。」
という旨を述べている。
　しかし、一般的に、物体に力が作用する状態において、物体の力学的挙動を検討するのであれば、物体に作用する力は、物体の重心にかかるものとして考慮されなければならず、それにより、力に対する物体の動きが推測可能となることは周知の事項である。
　それゆえ、「器本体が持ち上がって傾斜し、がたついたり或いは器本体が倒れてしまう」といった力学的な課題を持つ本件請求項１に係る発明では、同請求項の、
「この送風装置は送風ファン(18)とモーター(19)とを備えて、前記本体に収容した飯を収容する容器(４)の中心よりも前方の該本体の内底部に設置されるとともに、」
という記載が、上記の力学的な周知事項に基づき、「この送風装置は（その重心が）・・・・容器(４)の中心（重心）よりも前方の該本体の内底部に設置されるとともに、」ということを意味し、このような解釈にたつことにより、課題の達成も検証可能となることは明らかである。
　したがって、容器(４)の中心よりも前方に設置されるのは、送風装置および制御基板の中心（重心）であることは明白であり、特許異議申立人が述べているような明細書の不備はない。
　
（３）特許異議申立人は、特許異議申立書第５ページ２７行〜第６ページ７行において、
「本願請求項１に係る発明の「炊飯や保温の加熱と前記送風装置の動作を制御する制御基板」なる構成は願書に最初に添付した明細書に記載されない事項である。同明細書には「４２は・・・リレー等を備えた電源基板」の記載、および・・・電気回路が・・・シーズヒータ7、リレー48などを持ちそれらが互いに接続されている記載はあるが、これら制御回路と電源基板４２とに本件請求項１に係る発明でいうような「炊飯や保温の加熱と前記送風装置の動作を制御する」関係は記載されていない。」
という旨を述べている。
　しかし、このような本件請求項１における記載の不備は、平成１４年１０月７日付け訂正請求により上記３．に記載されたように訂正され、解消されている。
　
　
１０．むすび
　以上のとおりであるから、特許異議申立の理由によっては、本件の請求項１に係る発明の特許を取り消すことはできない。
　また、他に本件の請求項１に係る発明の特許を取り消すべき理由を発見しない。
　よって、結論のとおり決定する。
【異議決定日】
平成１４年１０月２８日（２００２．１０．２８）
【訂正の要旨】
訂正の要旨
　特許権者が、平成１４年１０月７日付け訂正請求書で求めている訂正の要旨は、同訂正請求書に添付された全文訂正明細書に記載された、以下のａ．〜ｆ．である。
ａ．特許請求の範囲に記載されていた
「【請求項１】　本体の後方上部に軸支した蓋体を、前記本体から開放方向に付勢し、この付勢力によって前記蓋体が開くようにした炊飯器において、前記本体の内部に送風装置を備え、この送風装置は、前記本体に収容した飯を収容する容器の中心よりも前方の該本体の内底部に設置されるとともに、炊飯や保温の加熱と前記送風装置の動作を制御する制御基板を、前記容器の中心より前方の前記本体の内部に設けたことを特徴とする炊飯器。」
を、
「【請求項１】　本体（１）の後方上部に軸支した蓋体（５）を、前記本体から開放方向に付勢し、この付勢力によって前記蓋体が開くようにした炊飯器において、前記本体の内部に送風装置を備え、この送風装置は
送風ファン（１８）とモーター（１９）とを備えて
　
前記本体の前側上部の裏側に設けられた表示基板（４１）と、前記表示基板の下方に設けられ、シーズヒーター（７）を通断電制御し、
を制御するリレー（４８）と、前記モーターを通断電し、
別のりレー（５５）を備えた、電源基板（４２）とからなる制御基板を設け、
　前記電源基板と表示基板とからなる
は、
られる
に訂正する。
ｂ．発明の詳細な説明の段落【０００９】における、
「　　　【０００９】
　【課題を解決するための手段】
　本発明の炊飯器は、本体の後方上部に軸支した蓋体を、前記本体から開放方向に付勢し、この付勢力によって前記蓋体が開くようにした炊飯器において、前記本体の内部に送風装置を備え、この送風装置は、前記本体に収容した飯を収容する容器の中心よりも前方の該本体の内底部に設置されるとともに、炊飯や保温の加熱と前記送風装置の動作を制御する制御基板を、前記容器の中心より前方の前記本体の内部に設けたものである。」
を、
「　　　【０００９】
　【課題を解決するための手段】
　本発明の炊飯器は、本体の後方上部に軸支した蓋体を、前記本体から開放方向に付勢し、この付勢力によって前記蓋体が開くようにした炊飯器において、前記本体の内部に送風装置を備え、この送風装置は
送風ファンとモーターとを備えて
前記本体の前側上部の裏側に設けられた表示基板と、前記表示基板の下方に設けられ、シーズヒーターを通断電制御し、
を制御するリレーと、前記モーターを通断電し、
別のりレーを備えた、電源基板とからなる制御基板を設け、前記電源基板と表示基板とからなる
は、
られる
に訂正する。
ｃ．発明の詳細な説明の段落【００１０】における、
「　　　【００１０】
　【作用】
　上記構成によれば、本体の後方上部を回転中心とした送風装置の重量に伴うモーメントの腕の長さを大きくしたことによって、蓋体の開放時に本体の持ち上がりを抑止できる。また、比較的重い制御基板を、本体の前側に設けたことによって、一層前記モーメントを大きくでき、蓋体の開放時に本体の持ち上がりを確実に抑止できる。また、同一の本体の内部において、制御基板と送風装置とを近づけることができるため、配線処理等を簡単に行うことができる。」
を、
「　　　【００１０】
　【作用】
　上記構成によれば、本体の後方上部を回転中心とした送風装置の重量に伴うモーメントの腕の長さを大きくしたことによって、蓋体の開放時に本体の持ち上がりを抑止できる。また、
本体の前側上部の裏側に設けられた表示基板と、表示基板の下方に設けられ、シーズヒーターを通断電制御し、炊飯や保温の加熱を制御するリレーと、モーターを通断電し、送風装置の動作を制御する別のりレーを備えた、電源基板とからなる
に訂正する。
ｄ．発明の詳細な説明の段落【００１３】における、
「　　　【００１３】
　尚、図１において、４０は器本体１の前側上部に設けられたＬＥＤ等の表示部、４１は前記表示部４０の裏側に設けられた表示基板、４２は前記表示基板４１の下方に設けられるトランス、リレー等を備えた電源基板である。また、４３は前記器本体１の下部に設けられたコードリールである。なお、制御基板に相当するこれらの表示基板４１と電源基板４２は、いずれも容器４の中心より前方の器本体１の内部に設けられており、炊飯や保温の加熱と、モーター１９の動作を制御するようになっている。」
を、
「　　　【００１３】
　尚、図１において、４０は器本体１の前側上部に設けられたＬＥＤ等の表示部、４１は前記表示部４０の裏側に設けられた表示基板、４２は前記表示基板４１の下方に設けられるトランス、リレー等を備えた電源基板である。また、４３は前記器本体１の下部に設けられたコードリールである。なお、器本体１の
前側上部の裏側に設けられた表示基板４１と、表示基板４１の下方に設けられ、シーズヒーター７を通断電制御し、炊飯や保温の加熱を制御するリレー４８と、モーター１９を通断電し、送風装置の動作を制御する別のりレー５５を備えた、電源基板４２とからなる
に訂正する。
ｅ．発明の詳細な説明の段落【００１７】における、
「　　　【００１７】
　さらに本実施例では、制御基板を構成する電源基板４２を、容器４の中心より前方の器本体１の内部に設けたことによって、一層前記モーメントを大きくでき、蓋体５の開放時に器本体１の持ち上がりを確実に抑止できる。また、同一の器本体１の内部において、該電源基板４２と前記モーター１９を近づけることができるため、配線処理等を簡単に行うことができる。」
を、
「　　　【００１７】
　さらに本実施例では、
表示基板４１と電源基板４２とからなる
を、
に訂正する。
ｆ．発明の詳細な説明の段落【００２０】における、
「　　　【００２０】
　【発明の効果】
　本発明の炊飯器は、本体の後方上部に軸支した蓋体を、前記本体から開放方向に付勢し、この付勢力によって前記蓋体が開くようにした炊飯器において、前記本体の内部に送風装置を備え、この送風装置は、前記本体に収容した飯を収容する容器の中心よりも前方の該本体の内底部に設置されるとともに、炊飯や保温の加熱と前記送風装置の動作を制御する制御基板を、前記容器の中心より前方の前記本体の内部に設けたものであり、蓋体の開放時に本体の持ち上がりを確実に抑止できるとともに、配線処理等を簡単に行うことができる。
」
を、
「　　　【００２０】
　【発明の効果】
　本発明の炊飯器は、本体の後方上部に軸支した蓋体を、前記本体から開放方向に付勢し、この付勢力によって前記蓋体が開くようにした炊飯器において、前記本体の内部に送風装置を備え、この送風装置は
送風ファンとモーターとを備えて
前記本体の前側上部の裏側に設けられた表示基板と、前記表示基板の下方に設けられ、シーズヒーターを通断電制御し、
を制御するリレーと、前記モーターを通断電し、
別のりレーを備えた、電源基板とからなる制御基板を設け、前記電源基板と表示基板とからなる
は、
られる
に訂正する。
（５４）【発明の名称】
炊飯器
（５７）【特許請求の範囲】
　【請求項１】　本体（１）の後方上部に軸支した蓋体（５）を、前記本体から開放方向に付勢し、この付勢力によって前記蓋体が開くようにした炊飯器において、前記本体の内部に送風装置を備え、この送風装置は
送風ファン（１８）とモーター（１９）とを備えて
　
前記本体の前側上部の裏側に設けられた表示基板（４１）と、前記表示基板の下方に設けられ、シーズヒーター（７）を通断電制御し、
を制御するリレー（４８）と、前記モーターを通断電し、
別のリレー（５５）を備えた、電源基板（４２）とからなる制御基板を設け、
　前記電源基板と表示基板とからなる
は、
られる
【発明の詳細な説明】
　【０００１】
　【産業上の利用分野】
　本発明は、蓋体が弾性部材により自動的に開く炊飯器において、内部に送風装置や基板を備えたものに関する。
　【０００２】
　【従来の技術】
　従来の輻射加熱式の炊飯器は実開平２−１４６５２１号、実開平２−１４６５２号公報などで開示されている。このような公知例は、本体に相当する器本体に上部の外側を密閉して容器を収容し、前記器本体に収納空間を介して側部及び下部側に加熱空間を形成するとともに前記容器の底部のほぼ全面に上面を対向して表面にセラミックスをコーティングしたプレート状の輻射熱放射板を設け、この輻射熱放射板の下部に高温シーズ式の赤外線を放射する発熱体を設け、さらに、前記加熱空間と前記収納空間を連通する連通空間を設けたものである。そして発熱体の発熱に伴って輻射熱放射板の上面からの輻射熱が加熱空間を介して容器を加熱でき、収納空間側へ輻射される熱気、赤外線が反射により前記連通空間から加熱空間側へ放射され炊飯初期における速熱性の向上を図ろうとしたものである。
　【０００３】
　また、実開平３−３４４２３号公報には器本体の上部にヒンジ部を介して蓋体を開閉可能に設け、クランプ部のロック解除時に開放用ばねの付勢によって蓋体を自動的に開放する炊飯器が開示されている。
　【０００４】
　【発明が解決しようとする技術的課題】
　前述したように、従来の輻射加熱式の炊飯器では熱容量の大きな輻射熱放射板に対し、発熱体の熱が熱伝導によって輻射熱放射板に伝わって、上方に放射する熱放射特性を有し、輻射熱放射板の上面よりもその裏面の発熱体側が高温となることから、輻射熱放射板の上面からの熱放射は発熱体からの二次放射となるので速熱性が劣り、前記輻射熱放射板の裏面空間である発熱体下部の収納空間が高温となり、この高温の収納空間内に発熱体が位置することになるので発熱体の耐熱寿命が劣り、この耐熱寿命を確保するための対策を講じればその分だけコスト高を招く。また、前記輻射熱放射板の裏面の収納空間に発熱体から放射された熱は前記輻射熱放射板の外周部に形成される連通空間を通って容器底部の加熱空間へ二次放射されるが、輻射熱放射板下面の発熱体収納部が汚れると反射効率が悪化し、そのため加熱効率が劣化する。さらに、輻射熱放射板の発熱体収納部は高温となるため耐熱性、反射性及び耐酸化性に優れた高価な材料を必要とし、コスト高を招く。
　【０００５】
　また、前記蓋体が自動的に開放する炊飯器においては、開放時に蓋体が開放用ばねによって９０°以上１００°前後に開いて停止するが、この停止の際に前記蓋体の廻動の勢いによって、器本体が持ち上がって傾斜し、がたついたり或いは器本体が倒れてしまう虞があった。
　【０００６】
　こうした問題に対し、特開平２−２６５１３号公報には、調理器本体の後方上部に軸支した蓋体を、付勢手段であるキックバネにより調理器本体から開放方向に付勢し、このキックバネの付勢力によって蓋体が開くようにした調理器が開示されており、さらに別の特開平３−１５４２１号公報には、内釜の中心よりも前方に位置して、本体の内部にファンおよびモーターからなる送風装置を設けた電気炊飯器が開示されている。
　【０００７】
　しかし、上記特開平３−１５４２１号公報におけるファンやモーターの重さだけでは、蓋体の開放が停止する際に、本体が簡単に持ち上がって傾斜し、がたついたり或いは本体が倒れてしまう懸念を払拭できない。
　【０００８】
　本発明は上記問題点を鑑み、蓋体の開放時に本体の持ち上がりを確実に抑止できるとともに、配線処理等を簡単に行うことができる炊飯器を提供することを目的とする。
　【０００９】
　【課題を解決するための手段】
　本発明の炊飯器は、本体の後方上部に軸支した蓋体を、前記本体から開放方向に付勢し、この付勢力によって前記蓋体が開くようにした炊飯器において、前記本体の内部に送風装置を備え、この送風装置は
送風ファンとモーターとを備えて
前記本体の前側上部の裏側に設けられた表示基板と、前記表示基板の下方に設けられ、シーズヒーターを通断電制御し、
を制御するリレーと、前記モーターを通断電し、
別のリレーを備えた、電源基板とからなる制御基板を設け、前記電源基板と表示基板とからなる
は、
られる
　【００１０】
　【作用】
　上記構成によれば、本体の後方上部を回転中心とした送風装置の重量に伴うモーメントの腕の長さを大きくしたことによって、蓋体の開放時に本体の持ち上がりを抑止できる。また、
本体の前側上部の裏側に設けられた表示基板と、表示基板の下方に設けられ、シーズヒーターを通断電制御し、炊飯や保温の加熱を制御するリレーと、モーターを通断電し、送風装置の動作を制御する別のリレーを備えた、電源基板とからなる
　【００１１】
　【実施例】
　以下、本発明の一実施例につき図を参照して説明する。図１乃至図４において１は上面を開口した本体たる器本体で、この器本体１は内ケース２及びプラスチック製の外ケース３からなっており、前記内ケース２はアルミニウム板などからなり二次電解等による耐熱性を有する着色アルマイト処理が施されている。なおこの着色アルマイトの色調は、後述する輻射熱放射板上面のコーティング色と同系色の例えば黒色系の色調とする。そして内ケース２内には上面を開口しアルミニウム板などの熱伝導性の良好な材質からなる容器４が挿脱自在に収容されている。この容器４はフランジ部４Ａが内ケース２のフランジ部２Ａに載置して該容器４は吊設状態に収容されている。５は前記器本体１の上部開口を、該器本体１の上部後側に設けられたヒンジ部５Ａを介して開閉自在に覆う蓋体である。前記内ケース２の下部には、炊飯時に前記容器４を加熱する輻射熱放射板６が設けられている。この輻射熱放射板６はステンレス等からなり下面には発熱体たる螺旋状のシーズヒーター７がニッケルろうなどのブレージング部８によって固着され、また、上面にはＡｌ２Ｏ３、ＴｉＯ２、ＣｒＯ等からなるセラミックがプラズマ溶射等によってコーティングされている。さらに、前記輻射熱放射板６の上面と前記容器４の底部並びに側部及び前記内ケース２の下部の間には各々加熱空間９、連通空間１０、収納空間１１が形成されるように前記輻射熱放射板６が取付けられている。前記内ケース２の下部外周側には凹部２Ｂが形成されている。そして前記加熱空間９、連通空間１０に連通して前記内ケース２と容器４間には幅が３乃至１０ｍｍ程度の空間部１２が形成されている。１３は前記内ケース２の外側を間隔をおいて覆うように設けられたアルミニウム板などからなる遮熱筒部１３Ａを設けた支え枠であり、この支え枠１３によって形成される連通路１４は、その一端を前記内ケース２の側部の略中央に設けられた側部孔１５に接続される一方、他端は前記内ケース２の下部に形成された下部孔１６に接続されている。そして前記連通路１４における内ケース２の下部側には送風室１７が設けられるとともに、この送風室１７には送風装置たる送風ファン１８が設けられている。前記送風室１７の下部に設けられるローター１９Ａ、コイル１９Ｂを有するモーター１９の回転軸１９Ｃに前記送風ファン１８が固定されており、送風ファン１８とともに送風装置を構成する器本体１の内底部に設置した該モーター１９を作動することによって側部孔１５側の空気を吸引して下部孔１６より前記輻射熱放射板６の下面に向けて送風できるようになっている。そして前記モーター１９の中心を通る垂直な軸線Ａが、前記容器４の中心を通る垂直な軸線Ｂよりも前側、すなわち前記ヒンジ部５Ａと反対な方向に配設されている。また、前記モーター１９の回転軸１９Ｃの下部には冷却ファン２０が固定されており、モーター１９を作動することによって吸気孔２１から外気を吸引し該空気を排気孔２２より排気してモーター１９を冷却できるようになっている。前記支え枠１３の側部上部には前記容器４の側部に接触可能なサーミスタなどの容器温度センサー２３が設けられている。
　【００１２】
　前記蓋体５は中空の外蓋２４と、この外蓋２４の下側に設けられ前記容器４の上部開口部を覆う内蓋２５からなっている。そして前記外蓋２４内にはグラスウールからなる断熱材２４Ａが設けられるとともに蒸気口２４Ｂが設けられ、さらに、外蓋２４の下面には、蒸気の発生を検出するサーミスタなどの蓋温度センサー２６と、コード状ヒーターなどからなる蓋ヒーター２７が設けられている。また、前記器本体１に蓋体５を開閉可能に設けるためのヒンジ部５Ａは、器本体１の上部後側に設けられた支持片２８にヒンジ軸２９が水平に取付けられ、このヒンジ軸２９の両側に前記外蓋２４の後部取付部（図示せず）が廻動自在に連結している。そしてダブルトーションねじりコイル型のばね３０のコイル部３１が前記ヒンジ軸２９に取付けられ、そしてばね３０中央のコ字状部３２が、押え金具３３とともに前記器本体１の後部に設けられた取付座３４に固定され、また、ばね３０の端末部３５は前記支持片２８の下部に係止されて、該ばね３０によって前記蓋体５がヒンジ軸２９を回転中心として図１において時計回り方向に付勢されている。前記押え金具３３は前記ばね３０のコ字状部３２を係止する機能と、蓋体５の廻動の勢いを途中で弱める機能をなすもので、この押え金具３３は、ばね用ステンレスで形成されるとともに、その一端は制動弾性部３６としてその下方が延出し、蓋体５が上方に廻動した際に、その廻動の途中において、図４に示すように、前記制動弾性部３６が前記器本体１の後部に設けられた当接部３７に当接し、この当接により蓋体５の勢いが途中で弱められるようになっている。尚３８は前記押え金具３３を固定するための螺子である。一方、前記蓋体５の前側にはクランプボタン３９が設けられて該クランプボタン３９を操作することによって、該クランプボタン３９に設けられた係止部（図示せず）が、器本体１側に設けられた係止受け部（図示せず）より外れ、前記ばね３０の付勢力によって前記蓋体５が自動的に開くようになっている。
　【００１３】
　尚、図１において、４０は器本体１の前側上部に設けられたＬＥＤ等の表示部、４１は前記表示部４０の裏側に設けられた表示基板、４２は前記表示基板４１の下方に設けられるトランス、リレー等を備えた電源基板である。また、４３は前記器本体１の下部に設けられたコードリールである。なお、
器本体１の前側上部の裏側に設けられた表示基板４１と、表示基板４１の下方に設けられ、シーズヒーター７を通断電制御し、炊飯や保温の加熱を制御するリレー４８と、モーター１９を通断電し、送風装置の動作を制御する別のリレー５５を備えた、電源基板４２とからなる
いる。
　【００１４】
　図５は電気回路図を示し、同図において４４は１００Ｖの交流電源で、この交流電源４４にトランス４５が接続され、このトランス４５が定電圧回路４６を介してマイクロコンピューター４７に接続されている。このマイクロコンピューター４７には、図示しないＣＰＵ、計時手段、メモリー、入、出力回路等を有している。また、交流電源４４の両極間に、シーズヒーター７とリレー４８の接点４８Ａとの直列回路が接続されるとともに、蓋ヒーター２７とトライアック４９との直列回路が接続されている。さらに、前記マイクロコンピューター４７には、前記シーズヒーター７を通断電制御するリレー４８が接続されたリレー駆動回路５０と、前記蓋ヒーター２７を通断電制御するトライアック４９のゲートが接続されたトライアック駆動回路５１とが接続されている。また、前記マイクロコンピューター４７には、前記表示部４０などに設けられたキー入力により炊飯を開始する炊飯スイッチ５２、タイマー動作を開始するタイマースイッチ５３、すべての動作が停止する切スイッチ５４及び前記容器温度センサー２３、蓋温度センサー２６が接続されている。したがってマイクロコンピューター４７からの出力信号により、リレー駆動回路５０を介してコイル４８Ｂが通電したときのみ接点４８Ａが閉じて、シーズヒーター７が通電し、また、マイクロコンピューター４７からの信号により、トライアック４９がオンしたときのみ、蓋ヒーター２７が通電するようになっている。尚、前記マイクロコンピューター４７は、ソフトウェアー上の機能として、シーズヒーター７、蓋ヒーター２７の入力を制御してひたし炊き、本炊飯及びむらし動作からなる一連の炊飯動作を実行し、むらし後保温を行う炊飯制御手段、タイマースイッチ５３により設定された炊き上がり予約時間の所定時間前に炊飯動作を開始させるタイマー予約制御手段等の機能を備えている。さらに、交流電源４４の両極間に、前記モーター１９とリレー５５の接点５５Ａとの直列回路が接続され、前記モーター１９を通断電制御する前記リレー５５がリレー駆動回路５６を介して前記マイクロコンピューター４７に接続されている。したがってマイクロコンピューター４７からの出力信号により、リレー駆動回路５６を介してコイル５５Ｂが通電したときのみ接点５５Ａが閉じて、モーター１９のコイル１９Ｂに通電するようになっている。
　【００１５】
　つぎに、前記の構成について通常の炊飯動作の作用を図６を参照しながら説明する。尚、同図において上段のグラフは容器温度センサー２３により感知される温度の経時変化を示しており、中段の２つのグラフはシーズヒーター７、蓋ヒーター２７の通断電のタイミングを示し、さらに、下段のグラフは送風ファン１８を作動するためのモーター１９の通断電のタイミングを示している。予め容器４に所定量の米と水（図示せず）を収容するとともに、該容器４を器本体１にセットして蓋体５をばね３０の弾性力に抗して閉じる。次に炊飯スイッチ５２を操作すると炊飯の最初に、まず８分間のひたし炊きが行われる。このひたし炊き動作においては、まず３分間シーズヒーター７のみが通電して容器４に対する加熱が行われる。すなわちシーズヒーター７が通電によって発熱し、シーズヒーター７の表面より収納空間１１へ熱放射が行われる。また、熱伝導によって輻射熱放射板６へ熱が伝わり、該輻射熱放射板６の表面に設けられたセラミックコーティングより加熱空間９へ輻射熱が二次放射される。その後の５分間はシーズヒーター７、蓋ヒーター２７が断電する。また、前記炊き動作の開始から３分経過すると、コイル５５Ｂが励磁されて接点５５Ａが閉じ、モーター１９が作動して送風ファン１８が回転する。したがって収納空間１１から連通空間１０、空間部１２及び連通路１４には、シーズヒーター７表面などの熱を奪った熱風が連通空間１０を通って空間部１２に至り容器４の側部を加熱し、そして側部孔１５から連通路１４を介して送風室１７へ至り、再び送風ファン１８によって下部孔１６より輻射熱放射板６の下面に向けて収納空間１１へ送風されるようになっている。ひたし炊き動作の開始から８分経過すると、本炊飯動作に移行する。本炊飯動作の開始からシーズヒーター７、蓋ヒーター２７、モーター１９が連続通電し、蓋温度センサー２６が９０℃を感知して５分経過すると完全沸騰と判断される。この後沸騰を適当に継続させるためにシーズヒーター７は３０秒間隔で断電と通電を繰り返す。そして、シーズヒーター７の断続通電中、容器温度センサー２３により感知される温度が１２０℃に達すると、この後むらし動作に移行する。むらし動作中は、蓋ヒーター２７が連続通電し、シーズヒーター７は断電するが、むらし動作後５分を経過すると、シーズヒーター７が３０秒のみ通電する。さらに、むらし動作の開始から１３分経過するまでモーター１９が作動し送風ファン１８が回転して輻射熱放射板６の余熱効果が少なくなるまで熱風を送風する。また、むらし動作の開始から１５分経過すると、蓋ヒーター２７が断電されて保温動作に自動的に移行する。この保温動作中は、シーズヒーター７は常時断電状態であるが、蓋ヒーター２７が通断電制御されて、容器４及び蓋体５が加熱される。すなわち、容器温度センサー２３により感知される温度が７１℃になるように、蓋ヒーター２７が通断電制御される。この様にして炊飯が終了し飯を取り出すため、クランプボタン３９を押圧操作すると係止部が係止受け部より外れ、同時にばね３０の復元力によって蓋体５がヒンジ軸２９を回転中心として廻動して開放する、この廻動の際に押え金具３３が当接部３７に当接して蓋体５の廻動の勢いを抑制する。また、図１において前記蓋体５の廻動の勢いに伴う時計方向回りのモーメントは、蓋体５の重量と、該蓋体５の中心とヒンジ軸２９間の腕の長さを乗じたものである。一方このモーメントに対し器本体１側の反時計方向回りのモーメントは、主として飯が収容された容器４によるモーメントと、前記モーター１９によるモーメントの和となる。特にローター１９Ａ、コイル１９Ｂ等を有して重量が大きいモーター１９の中心を通る垂直な軸線Ａを、容器４の中心を通る垂直な軸線Ｂよりもヒンジ部５Ａから遠い位置に設けたため、モーメントにおける腕の長さを大きくして該モーター１９によるモーメントを大きくして、一層蓋体５開放時に器本体１の持ち上がりを抑制できる。
　【００１６】
　以上のように前記実施例においては、器本体１の後方上部に軸支した蓋体５を、器本体１から開放方向に付勢し、この付勢力によって蓋体５が開くようにした炊飯器において、器本体１の内部に送風装置である送風ファン１８やモーター１９を備え、この送風ファン１８やモーター１９を、飯を収容する容器４の中心よりも前方の器本体１の内底部に設置している。この場合、モーター１９の中心を通る垂直な軸線Ａを、容器４の中心を通る垂直な軸線Ｂよりも器本体１の後方上部にあるヒンジ部５Ａから遠い前方の位置に設けたため、モーメントにおける腕の長さを大きくしてモーター１９によるモーメントを大きくして、蓋体５の開放時に器本体１の持ち上がりを抑止でき、安心して蓋体５を開くことができる。
　【００１７】
　さらに本実施例では、
表示基板４１と電源基板４２とからなる
を、
　【００１８】
　また、内ケース２の下部上に輻射熱放射板６を設けるとともにこの輻射熱放射板６の下面にシーズヒーター７を設けて、前記輻射熱放射板６の輻射熱によって容器４を加熱する輻射加熱式の炊飯器において、前記内ケース２の下部に送風ファン１８を設けたことによって、ひたし炊き時シーズヒーター７が発熱しそして断電した後に、モーター１９を作動して送風ファン１８を回転することによって、シーズヒーター７等の熱を奪った熱風を空間部１２に送風して、輻射熱放射板６の輻射熱とともに容器４を加熱できるために、容器４の温度の立上がりを早くでき速熱性に優れるとともに、炊飯時には前記輻射熱、熱風及び蓋ヒーター２７によって容器４全体を均一に加熱することができる。また、送風ファン１８の送風によって、発熱中のシーズヒーター７が熱交換されてその表面温度が低下し、シーズヒーター７の耐熱寿命を改善できるとともに前記送風によって収納空間１１の熱風が強制的に移動するために、内ケース２の下部が汚れて反射率が低下した状態であっても、容器４の加熱効率が低下する虞はなく、内ケース２が高温状態にならず該内ケース２の熱変形等を防止できる。
　【００１９】
　尚、本発明は前記実施例に限定されるものではなく、例えば内ケースの外周面にコード状ヒーターなどからなり蓋ヒーターと同様に作動する胴ヒーターを設けるなど種々の変形が可能である。
　【００２０】
　【発明の効果】
　本発明の炊飯器は、本体の後方上部に軸支した蓋体を、前記本体から開放方向に付勢し、この付勢力によって前記蓋体が開くようにした炊飯器において、前記本体の内部に送風装置を備え、この送風装置は
送風ファンとモータとを備えて
前記本体の前側上部の裏側に設けられた表示基板と、前記表示基板の下方に設けられ、シーズヒーターを通断電制御し、
を制御するリレーと、前記モーターを通断電し、
別のリレーを備えた、電源基板とからなる制御基板を設け、前記電源基板と表示基板とからなる
は、
られる
【図面の簡単な説明】
　【図１】
　本発明の一実施例を示す断面図である。
　【図２】
　本発明の一実施例を示す一部切欠側面図である。
　【図３】
　本発明の一実施例を示す閉蓋時の要部の断面図である。
　【図４】
　本発明の一実施例を示す開蓋時の要部の断面図である。
　【図５】
　本発明の一実施例を示す電気回路図である。
　【図６】
　本発明の一実施例を示す炊飯時における温度グラフである。
　【符号の説明】
　１　　器本体（本体）
　４　　容器
　５　　蓋体
　７　　シーズヒーター
　１８　送風ファン（送風装置）
　１９　モーター（送風装置）
　４１　表示基板（制御基板）
　４２　電源基板（制御基板）
　４８　リレー
　５５　リレー（別のリレー）